(57)【要約】【課題】先行するウェブの無駄になる部分を短くできるような、ウェブの接続が可能なウェブ繰出装置及びウェブ繰出方法を提供すること。【解決手段】第１の原反がセットされる第１給送軸と、前記第１給送軸にセットされた第１の原反から給送されるウェブの終端部が露出されたことを検出するウェブ終端部検出センサと、第２の原反がセットされる第２給送軸と、前記第２給送軸に向けて移動可能に設けられたペースタニップローラと、を備え、前記ウェブ終端部検出センサにより前記第１給送軸にセットされた第１の原反のウェブの終端部が露出されたことが検出される時、前記ペースタニップローラの前記第２給送軸に向けた移動が開始されるようになっていることを特徴とするウェブ繰出装置。【選択図】図１
2014189395.tif 000002
【特許請求の範囲】
【請求項１】
第１の原反がセットされ、当該第１の原反から所望の速度でウェブが給送されるように当該第１の原反を回転させるようになっている第１給送軸と、
前記第１給送軸にセットされた第１の原反から給送されるウェブの終端部が露出されたことを検出するウェブ終端部検出センサと、
第２の原反がセットされ、当該第２の原反から所望の速度でウェブが給送されるように当該第２の原反を回転させるようになっている第２給送軸と、
前記第２給送軸の周囲において当該第２給送軸に向けて移動可能に設けられたペースタニップローラと、
を備え、
前記第１給送軸にセットされた第１の原反から給送されるウェブは、前記ペースタニップローラと前記第２給送軸にセットされた第２の原反との間を搬送されるようになっており、
前記ウェブ終端部検出センサにより前記第１給送軸にセットされた第１の原反から給送されるウェブの終端部が露出されたことが検出される時、前記ペースタニップローラの前記第２給送軸に向けた移動が開始されるようになっている
ことを特徴とするウェブ繰出装置。
【請求項２】
前記ウェブ終端部検出センサにより前記第１給送軸にセットされた第１の原反から給送されるウェブの終端部が露出されたことが検出される時、前記第２給送軸の回転が開始されるようになっている
ことを特徴とする請求項１に記載のウェブ繰出装置。
【請求項３】
前記第１給送軸と前記第２給送軸とは、同一の構成を有していて、ターレット機構を介して相互に交換可能となっている
ことを特徴とする請求項１または２に記載のウェブ繰出装置。
【請求項４】
前記ウェブ終端部検出センサは、光学センサである
ことを特徴とする請求項１乃至３のいずれかに記載のウェブ繰出装置。
【請求項５】
第１の原反を第１給送軸にセットし、当該第１の原反から所望の速度でウェブが給送されるように当該第１給送軸によって当該第１の原反を回転させる第１原反ウェブ給送工程と、
ウェブの先端部にウェブ接続用の接着材が設けられた第２の原反を第２給送軸にセットし、当該第２の原反から所望の速度でウェブが給送されるように当該第２給送軸によって当該第２の原反を回転させる第２原反ウェブ給送工程と、
ウェブ終端部検出センサによって、前記第１給送軸にセットされた第１の原反から給送されるウェブの終端部が露出されたことを検出するウェブ終端部検出工程と、
前記ウェブ終端部検出センサによって前記第１給送軸にセットされた第１の原反から給送されるウェブの終端部が露出されたことが検出される時、ペースタニップローラの前記第２給送軸に向けた移動を開始するウェブ接続工程と、
を備え、
前記第１給送軸にセットされた第１の原反から給送されるウェブは、前記ペースタニップローラと前記第２給送軸にセットされた第２の原反との間を搬送されるようになっており、
前記ウェブ接続工程において、前記ペースタニップローラが前記第２給送軸に向けて移動されて前記第１の給送軸にセットされた第１の原反から給送されるウェブが前記第２の給送軸にセットされた第２の原反に押し付けられることにより、当該第２の原反に設けられた前記ウェブ接続用の接着材が、前記第１の給送軸にセットされた第１の原反から給送されるウェブに付着される
ことを特徴とするウェブ繰出方法。
【請求項６】
前記ウェブ接続工程において、前記ウェブ終端部検出センサによって前記第１給送軸にセットされた第１の原反から給送されるウェブの終端部が露出されたことが検出される時、前記第２給送軸の回転を開始する
ことを特徴とする請求項５に記載のウェブ繰出方法。
【請求項７】
前記ウェブ接続工程において前記ウェブ接続用の接着材が前記第１の原反から給送されるウェブに付着されるタイミングと、当該第１の原反から給送されるウェブの終端部が前記第１の給送軸から離れるタイミングと、が同時となるように、前記第２の原反がセットされた前記第２給送軸の初期回転位相を確認ないし調節する工程
を更に備えたことを特徴とする請求項５または６に記載のウェブ繰出方法。
【発明の詳細な説明】
【技術分野】
【０００１】
本発明は、ウェブ繰出装置及びウェブ繰出方法に関する。
【背景技術】
【０００２】
例えば輪転印刷装置やラミネート装置におけるウェブの供給は、ウェブをロール状に巻き取ってなる原反からウェブを繰り出すことにより行われる。このような装置において、ウェブは、複数のウェブが接続されることにより、連続的に供給される。
【０００３】
例えば特許文献１（特公平１−５１４１８号公報）には、先行して供給されているウェブと次のウェブとが接着剤で貼り合わされて接続されることにより先行するウェブと次のウェブとが連続的に供給される方法が開示されている。
【先行技術文献】
【特許文献】
【０００４】
【特許文献１】特公平１−５１４１８号公報
【発明の概要】
【発明が解決しようとする課題】
【０００５】
本件発明者は、複数のウェブを接続して連続的に供給する方法について鋭意研究を重ねるうち、以下のような知見を得るに至った。
【０００６】
先行するウェブと次のウェブとの接続をウェブの供給を止めることなく行うために、ウェブ接続動作は、先行するウェブの供給中に、次のウェブの原反を回転させてその周速を先行する原反ウェブのライン速度に略一致させた状態で行われる。先行するウェブの無駄を少なくするために、ウェブの接続は、先行するウェブの終端部に近い位置で行われることが望ましい。ウェブを給送中の原反におけるウェブ残量（の厚み）は、当該原反がセットされている給送軸の角速度と先行するウェブのライン速度とに基づいて測定することが可能である。しかしながら、このようにして求められた測定値は、原反の偏芯等の状態や原反がセットされた給送軸の偏心等の状態の影響を受けるため、正確ではない。このため、ウェブの接続を確実に行うために、ウェブの接続動作は、先行するウェブの原反におけるウェブ残量に余裕がある状態で行われる。この結果、先行するウェブの無駄になる部分の長さは、２０ｍ〜３０ｍにも及んでしまうことがある。
【０００７】
また、先行するウェブと次のウェブとが接続された後の重なり合う部分は、製品として使用することができない。このため、当該重なり合う部分を減らすべく、先行するウェブの不要部分を切断する切断機構が設けられている。
【０００８】
本発明は、このような事情に基づいて行われたものであり、その目的は、先行するウェブの無駄になる部分を短くできるような、ウェブの接続が可能なウェブ繰出装置及びウェブ繰出方法を提供することにある。
【課題を解決するための手段】
【０００９】
本発明は、第１の原反がセットされ、当該第１の原反から所望の速度でウェブが給送されるように当該第１の原反を回転させるようになっている第１給送軸と、前記第１給送軸にセットされた第１の原反から給送されるウェブの終端部が露出されたことを検出するウェブ終端部検出センサと、第２の原反がセットされ、当該第２の原反から所望の速度でウェブが給送されるように当該第２の原反を回転させるようになっている第２給送軸と、前記第２給送軸の周囲において当該第２給送軸に向けて移動可能に設けられたペースタニップローラと、を備え、前記第１給送軸にセットされた第１の原反から給送されるウェブは、前記ペースタニップローラと前記第２給送軸にセットされた第２の原反との間を搬送されるようになっており、前記ウェブ終端部検出センサにより前記第１給送軸にセットされた第１の原反のウェブから給送される終端部が露出されたことが検出される時、前記ペースタニップローラの前記第２給送軸に向けた移動が開始されるようになっていることを特徴とするウェブ繰出装置である。
【００１０】
本発明によれば、第１の原反から給送されるウェブの終端部が露出されてからウェブの接続動作が開始されるため、第１の原反から給送されるウェブの無駄が極めて少ない。したがって、第１の原反から給送されるウェブの不要部分を切断する従来の切断機構を設ける必要が無い。
【００１１】
好ましくは、前記ウェブ終端部検出センサにより前記第１給送軸にセットされた第１の原反から給送されるウェブの終端部が露出されたことが検出される時、前記第２給送軸の回転が開始されるようになっている。この場合、第２の原反の回転は、第１の原反から給送されるウェブの終端部が露出されたことが検出されてから開始される。このため、ウェブの接続が確実になされるように、第１の原反から給送されるウェブが第２の原反の外周面上に設けられたウェブ接続用の接着材に付着されるタイミング（第２給送軸により第２の原反が回転されることによりウェブ接続用の接着材がその初期位置から移動してペースタニップローラによる押圧位置に到達するタイミング）と、第１の原反のウェブ残量がゼロになるタイミングと、を所望に制御することが容易である。
【００１２】
また、好ましくは、前記第１給送軸と前記第２給送軸とは、同一の構成を有していて、ターレット機構を介して相互に交換可能となっている。この場合、複数の原反から給送されるウェブの接続を繰り返し行うことが、容易である。
【００１３】
また、好ましくは、前記ウェブ終端部検出センサは、光学センサである。この場合、例えば、ウェブによる光の反射量と、当該ウェブが巻き付けられている芯による光の反射量と、の違いを利用することにより、ロール状の原反から給送されるウェブの終端部が露出されたことを検出することが、容易である。
【００１４】
あるいは、本発明は、第１の原反を第１給送軸にセットし、当該第１の原反から所望の速度でウェブが給送されるように当該第１給送軸によって当該第１の原反を回転させる第１原反ウェブ給送工程と、ウェブの先端部にウェブ接続用の接着材が設けられた第２の原反を第２給送軸にセットし、当該第２の原反から所望の速度でウェブが給送されるように当該第２給送軸によって当該第２の原反を回転させる第２原反ウェブ給送工程と、ウェブ終端部検出センサによって、前記第１給送軸にセットされた第１の原反から給送されるウェブの終端部が露出されたことを検出するウェブ終端部検出工程と、前記ウェブ終端部検出センサによって前記第１給送軸にセットされた第１の原反から給送されるウェブの終端部が露出されたことが検出される時、ペースタニップローラの前記第２給送軸に向けた移動を開始するウェブ接続工程と、を備え、前記第１給送軸にセットされた第１の原反から給送されるウェブは、前記ペースタニップローラと前記第２給送軸にセットされた第２の原反との間を搬送されるようになっており、前記ウェブ接続工程において、前記ペースタニップローラが前記第２給送軸に向けて移動されて前記第１の給送軸にセットされた第１の原反から給送されるウェブが前記第２の給送軸にセットされた第２の原反に押し付けられることにより、当該第２の原反に設けられた前記ウェブ接続用の接着材が、前記第１の給送軸にセットされた第１の原反から給送されるウェブに付着されることを特徴とするウェブ繰出方法である。
【００１５】
本発明によれば、第１の原反から給送されるウェブの終端部が露出されてからウェブの接続動作が開始されるため、第１の原反から給送されるウェブの無駄が極めて少ない。したがって、第１の原反から給送されるウェブの不要部分を切断する従来の切断機構を設ける必要が無い。
【００１６】
好ましくは、前記ウェブ接続工程において、前記ウェブ終端部検出センサによって前記第１給送軸にセットされた第１の原反から給送されるウェブの終端部が露出されたことが検出される時、前記第２給送軸の回転を開始する。この場合、第２の原反の回転は、第１の原反から給送されるウェブの終端部が露出されたことが検出されてから開始される。このため、ウェブの接続が確実になされるように、第１の原反から給送されるウェブが第２の原反の外周面上に設けられたウェブ接続用の接着材に付着されるタイミング（第２給送軸により第２の原反が回転されることによりウェブ接続用の接着材がその初期位置から移動してペースタニップローラによる押圧位置に到達するタイミング）と、第１の原反のウェブ残量がゼロになるタイミングと、を所望に制御することが容易である。
【００１７】
また、好ましくは、前記ウェブ繰出方法は、前記ウェブ接続工程において前記ウェブ接続用の接着材が前記第１の原反から給送されるウェブに付着されるタイミングと、当該第１の原反から給送されるウェブの終端部が前記第１の給送軸から離れるタイミングと、が同時となるように、前記第２の原反がセットされた前記第２給送軸の初期回転位相を確認ないし調節する工程を更に備えている。この場合、第１の原反から給送されるウェブの無駄を最小限にすることができる。
【発明の効果】
【００１８】
本発明によれば、第１の原反から給送されるウェブの終端部が露出されてからウェブの接続動作が開始されるため、第１の原反から給送されるウェブの無駄が極めて少ない。したがって、第１の原反から給送されるウェブの不要部分を切断する従来の切断機構を設ける必要が無い。
【図面の簡単な説明】
【００１９】
【図１】本発明の一実施の形態によるウェブ繰出装置を示す概略側面図。
【図２】図１のウェブ繰出装置によるウェブのウェブ接続動作を説明するための概略側面図。
【図３】第１の原反から給送されるウェブの終端部が露出されたことが検出されてから当該終端部が第１給送軸を離れるまでの様子を説明するための図。詳しくは、図３（ａ）が第１の原反から給送されるウェブの終端部が露出されたことが検出された瞬間を示す図であり、図３（ｂ）が当該終端部が第１給送軸を離れる瞬間を示す図である。
【図４】第２給送軸の初期回転位相と、ウェブ接続用の両面テープが第１の原反から給送されるウェブに付着されるタイミングと、の関係を説明するための図。詳しくは、図４（ａ）が第２給送軸にセットされた第２の原反上に設けられたウェブ接続用の両面テープの初期位置を示す図であり、図４（ｂ）が第２の原反が回転されてペースタニップローラによる押圧位置にウェブ接続用の両面テープが到達した状態を示す図である。
【発明を実施するための形態】
【００２０】
以下、図面を参照して、本発明の一実施の形態について説明する。図１は、本発明の一実施の形態によるウェブ繰出装置を示す概略側面図である。また、図２は、図１のウェブ繰出装置によるウェブ（紙、プラスチックフィルム、金属箔等の印刷対象物乃至巻取対象物）のウェブ接続動作を説明するための概略側面図である。
【００２１】
図１に示すように、本実施の形態のウェブ繰出装置１は、第１の原反１０がセットされ、当該第１の原反１０から所望の速度でウェブ１０Ｗが給送されるように当該第１の原反１０を回転させるようになっている第１給送軸１１と、第１給送軸１１にセットされた第１の原反１０から給送されるウェブ１０Ｗの終端部１０Ｅが露出されたことを検出するウェブ終端部検出センサ５０と、を備えている。また、ウェブ繰出装置１は、第２の原反２０がセットされ、当該第２の原反２０から所望の速度でウェブが給送されるように当該第２の原反２０を回転させるようになっている第２給送軸２１と、第２給送軸２１の周囲において当該第２給送軸２１に向けて移動可能に設けられたペースタニップローラ６２と、を備えている。
【００２２】
本実施の形態のウェブ繰出装置１は、第２給送軸２１に対してウェブの搬送方向の下流に、第１給送軸１１または第２給送軸２１にセットされた原反から給送されるウェブを挟持して搬送するニップローラ８０を有している。そして、第１給送軸１１にセットされた第１の原反１０から給送されるウェブ１０Ｗは、ペースタニップローラ６２と第２給送軸２１にセットされた第２の原反２０との間を通過して、ニップローラ８０によって搬送されるようになっている。
【００２３】
また、本実施の形態のウェブ繰出装置１においては、ウェブ終端部検出センサ５０により第１給送軸１１にセットされた第１の原反１０から給送されるウェブ１０Ｗの終端部１０Ｅが露出されたことが検出される時、ペースタニップローラ６２の第２給送軸２１に向けた移動が開始され、且つ、第２給送軸２１の回転が開始されるようになっている。
【００２４】
なお、ウェブ繰出装置１には、ウェブ終端部検出センサ５０により第１給送軸１１にセットされた第１の原反１０から給送されるウェブ１０Ｗの終端部１０Ｅが露出されたことが検出されると、ウェブ終端部検出センサ５０から検出信号を受信して、当該検出信号に基づいて各部を制御する制御部７０が設けられている。
【００２５】
また、第２給送軸２１にセットされる第２の原反２０の外周面上であって第２の原反２０から給送されるウェブの先端部には、ウェブ接続用の両面テープＴが設けられている。
【００２６】
第１給送軸１１は、本実施の形態においては、第１給送軸回転駆動部１３によって駆動されて、第１給送軸１１にセットされたロール状の第１の原反１０の最外周の速度がウェブ１０Ｗの所望の給送速度に一致するように、当該第１の原反１０を回転させることができるようになっている。
【００２７】
ウェブ終端部検出センサ５０は、第１給送軸１１にセットされた第１の原反１０の最内側に位置するウェブ１０Ｗの終端部１０Ｅが、当該第１の原反１０からウェブ１０Ｗが給送されることにより露出されたことを検出することができるようになっている。本実施の形態においては、ウェブ終端部検出センサ５０は、光学センサであり、第１給送軸１１の斜め上方に設けられている。そして、ウェブ終端部検出センサ５０は、ウェブ１０Ｗの終端部１０Ｅがウェブ終端部検出センサ５０の下方領域を通過すると、ウェブによる光の反射量と、当該ウェブが巻き付けられている芯による光の反射量と、の違いに基づいて、ロール状の原反から給送されるウェブ１０Ｗの終端部１０Ｅが露出されたことを検出することができるようになっている。
【００２８】
ここで図３を参照して、ウェブ終端部検出センサ５０が設けられている位置についてより詳細に説明する。図３は、第１の原反１０から給送されるウェブ１０Ｗの終端部１０Ｅが露出されたことが検出されてから当該終端部１０Ｅが第１給送軸１１を離れるまでの様子を説明するための図である。詳しくは、図３（ａ）が、第１の原反１０から給送されるウェブ１０Ｗの終端部１０Ｅが露出されたことが検出された瞬間を示す図であり、図３（ｂ）が、当該終端部１０Ｅが第１給送軸１１を離れる瞬間を示す図である。ウェブ終端部検出センサ５０は、ウェブ１０Ｗの終端部１０Ｅがウェブ終端部検出センサ５０の下方領域を通過して（図３（ａ）参照）から当該終端部１０Ｅが第１給送軸１１を離れる（図３（ｂ））までの時間長ｔが、十分な長さを有していて、当該時間長ｔの範囲内において、後述するペースタニップローラ６２がその初期位置から移動を開始して図２に示すように当該ペースタニップローラ６２の下方領域を通過するウェブ１０Ｗを第２給送軸２１にセットされた第２の原反２０の外周面上に押し付けることができる、というような位置に設けられている。
【００２９】
第２給送軸２１は、本実施の形態においては、第２給送軸回転駆動部２３によって駆動されて、第２給送軸２１にセットされたロール状の第２の原反２０の最外周の速度が当該第２の原反２０から給送されるウェブの所望の給送速度に一致するように、当該第２の原反２０を回転させることができるようになっている。また、第２給送軸２１には、ロック機構（不図示）が設けられており、第２給送軸２１は、ウェブ終端部検出センサ５０によって第１の原反１０から給送されるウェブ１０Ｗの終端部１０Ｅが露出されるまで、当該ロック機構によってロックされてその回転が防止されるようになっている。そして、第２給送軸２１は、ウェブ終端部検出センサ５０の検出信号に基づく制御部７０からの制御信号に基づいて、当該ロック機構によるロック状態が解除され、その回転が開始されるようになっている。
【００３０】
なお、本実施の形態のウェブ繰出装置１には、第２の原反２０がセットされた第２給送軸２１の初期回転位相Ｒを調節する初期回転位相調節機構（不図示）が設けられており、両面テープＴが第１の原反１０から給送されるウェブ１０Ｗに付着されるタイミングと、当該第１の原反１０から給送されるウェブ１０Ｗの終端部１０Ｅが第１の給送軸１１から離れるタイミング（第１の原反のウェブ残量がゼロになるタイミング）と、が同時となるように、第２給送軸２１の初期回転位相Ｒ（第２の給送軸２１にセットされた原反２０の外周面上のウェブ接続用の両面テープＴの位置）を調節することができるようになっている。
【００３１】
ここで、図３及び図４を参照して、本実施の形態の初期回転位相調節機構について具体的に説明する。図４は、第２給送軸２１の初期回転位相Ｒと、ウェブ接続用の両面テープＴが第１の原反１０から給送されるウェブ１０Ｗに付着されるタイミングと、の関係を説明するための図である。詳しくは、図４（ａ）が、第２給送軸２１にセットされた第２の原反２０上に設けられたウェブ接続用の両面テープＴの初期位置を示す図であり、図４（ｂ）が、第２の原反２０が回転されてペースタニップローラ６２による押圧位置にウェブ接続用の両面テープＴが到達した状態を示す図である。
【００３２】
初期回転位相調節機構は、第２給送軸２１にセットされた第２の原反２０の外周面上のウェブ接続用の両面テープＴの位置（第２給送軸２１からの距離及び位相）を正確に認識することができるようになっている。また、初期回転位相調節機構は、ウェブ終端部検出センサ５０により第１の原反１０から給送されるウェブ１０Ｗの終端部１０Ｅが露出されたことが検出されて（図３（ａ）参照）から当該終端部１０Ｅが第１給送軸１１を離れる（図３（ｂ）参照）までの時間長ｔに関する情報と、第２の原反２０がセットされた第２給送軸２１の初期角加速度αに関する情報と、を保持している。そして、初期回転位相調節機構は、第２給送軸２１によって第２の原反２０の回転が開始されることによりウェブ接続用の両面テープＴがその初期位置（図４（ａ）参照）から移動してペースタニップローラ６２による押圧位置（図４（ｂ）参照）に到達するタイミングと、第１の原反１０から給送されるウェブ１０Ｗの終端部１０Ｅが第１の給送軸１１から離れるタイミング（第１の原反のウェブ残量がゼロになるタイミング）と、が同時となるように、第２給送軸２１を第２給送軸回転駆動部２３によって回転させて、ウェブ接続用の両面テープＴの初期位置を調節しておくことができるようになっている。
【００３３】
ペースタニップローラ６２は、本実施の形態においては、第２給送軸２１の上方に設けられており、不図示の装置ハウジングに固定されたペースタ本体部６３にペースタニップローラ移動機構６５を介して支持されている。当該ペースタニップローラ移動機構６５によって、ペースタニップローラ６２は、第２給送軸２１にセットされた原反２０に向けて搬送中のウェブ１０Ｗを幅方向に一斉に押しつけるようになっている（図２参照）。ペースタニップローラ６２の第２給送軸２１にセットされた原反２０に向けた移動は、ウェブ終端部検出センサ５０の検出信号に基づく制御部７０からの制御信号に基づいて開始されるようになっている。
【００３４】
なお、図１に示すウェブ繰出装置１では、第１給送軸１１と第２給送軸２１とは同一構成であり、第１給送軸１１も、ロック機構及び初期回転位相調節機構を有している。そして、第１給送軸１１と第２給送軸２１とは、それ自体は周知のターレット機構によって、相互に交替可能となっている。
【００３５】
図１に戻って、本実施の形態のターレット機構について詳しく説明する。図１のターレット機構は、回動シャフト４１を回動可能に軸支する支柱４２と、回動シャフト４１を回転駆動する回動モータ４３と、を有しており、一対の第１給送軸支持アーム１２が、それらの基端側において回動シャフト４１に固定され、それらの先端側において第１給送軸１１の両端部を回転可能に支持している。同様に、一対の第２給送軸支持アーム２２が、それらの基端側において回動シャフト４１に固定され、それらの先端側において第２給送軸２１の両端部を回転可能に支持している。そして、第１給送軸支持アーム１２と第２給送軸支持アーム２２とが、回動シャフト４１を中心として対向するように配置されている。
【００３６】
また、一対の第１サポートロール支持アーム４４が、それらの基端側において回動シャフト４１に固定され、それらの先端側において第１サポートロール４５を回転可能に保持している。更に、一対の第１サポートロール支持アーム４４は、第１給送軸支持アーム１２と、回動シャフト４１の回転方向に対して反対側に９０°の角度をなしている。同様に、一対の第２サポートロール支持アーム４６が、それらの基端側において回動シャフト４１に固定され、それらの先端側において第２サポートロール４７を回転可能に保持している。更に、一対の第２サポートロール支持アーム４６は、第２給送軸支持アーム２２と、回動シャフト４１の回転方向に対して反対側に９０°の角度をなしている。
【００３７】
そして、第１給送軸支持アーム１２の先端側に、第１給送軸１１の回転を駆動する第１給送軸回転駆動部１３が設けられ、第２給送軸支持アーム２２の先端側に、第２給送軸２１の回転を駆動する第２給送軸回転駆動部２３が設けられている。
【００３８】
ニップローラ８０は、第２給送軸２１に対して第１給送軸１１または第２給送軸２１にセットされた原反から給送されるウェブの搬送方向の下流に、第１給送軸１１にセットされた第１の原反１０から給送されるウェブ１０Ｗがペースタニップローラ６２と第２給送軸２１にセットされた第２の原反２０との間を搬送されるように設けられている。また、ニップローラ８０は、ニップローラ回転駆動部８１によって駆動されて、ニップローラ８０の外周面が当該ウェブの所望の搬送速度に略一致して回転することができるようになっている。
【００３９】
次に、以上のような構成からなる本実施の形態の作用について説明する。
【００４０】
まず、図１に示すように、ロール状の第１の原反１０が、第１給送軸１１にセットされており、第１給送軸１１が、当該第１の原反１０の最外周の速度がウェブ１０Ｗの所望の給送速度に一致するように、第１給送軸回転駆動部１３によって回転されている。また、ニップローラ８０が、ニップローラ８０の外周面が当該ウェブ１０Ｗの所望の搬送速度に略一致するように、ニップローラ回転駆動部８１によって回転されている。そして、第１給送軸１１にセットされた第１の原反１０から給送されたウェブ１０Ｗが、第１サポートロール４５を介してペースタニップローラ６２の下方領域を通過し、ニップローラ８０によって狭持されながら搬送されている。
【００４１】
第１の原反１０におけるウェブ１０Ｗの残量が少なくなってウェブ接続動作が行われる際には、図１に示すように、外周面上にウェブ接続用の両面テープＴが設けられた第２の原反２０が、第２給送軸２１にセットされる。この時、第２給送軸２１のロック機構によるロック状態は、解除されている。また、第２の原反２０が第２給送軸２１にセットされた状態においては、第１給送軸１１にセットされた第１の原反１０から給送されるウェブ１０Ｗは、ペースタニップローラ６２と第２給送軸２１にセットされた第２の原反２０との間を搬送されることになる。
【００４２】
そして、初期回転位相調節機構（不図示）によって、第２の原反２０がセットされた第２給送軸２１の初期回転位相Ｒが調節される。本実施の形態においては、第２給送軸２１の初期回転位相Ｒ（第２の給送軸２１にセットされた第２の原反２０の外周面上のウェブ接続用の両面テープＴの位置）が、両面テープＴが第１の原反１０から給送されるウェブ１０Ｗに付着されるタイミングと、当該第１の原反１０から給送されるウェブ１０Ｗの終端部１０Ｅが第１の給送軸１１から離れるタイミング（第１の原反のウェブ残量がゼロになるタイミング）と、が同時となるように、調節される。
【００４３】
具体的には、初期回転位相調節機構によって、第２給送軸２１にセットされた第２の原反２０の外周面上のウェブ接続用の両面テープＴの位置（第２給送軸２１からの距離及び位相）が、認識される。次に、ウェブ終端部検出センサ５０により第１の原反１０から給送されるウェブ１０Ｗの終端部１０Ｅが露出されたことが検出されて（図３（ａ）参照）から当該終端部１０Ｅが第１給送軸１１を離れる（図３（ｂ）参照）までの時間長ｔに関する情報と、第２の原反２０がセットされた第２給送軸２１の初期角加速度αに関する情報と、に基づいて、第２給送軸２１によって第２の原反２０の回転が開始されることによりウェブ接続用の両面テープＴがその初期位置（図４（ａ）参照）から移動してペースタニップローラ６２による押圧位置（図４（ｂ）参照）に到達するタイミングと、第１の原反１０から給送されるウェブ１０Ｗの終端部１０Ｅが第１の給送軸１１から離れるタイミング（第１の原反のウェブ残量がゼロになるタイミング）と、が同時となるように、第２給送軸２１の初期回転位相Ｒ（ウェブ接続用の両面テープＴの初期位置）が決定される。そして、当該決定された初期位置にウェブ接続用の両面テープＴが位置決めされるように、第２給送軸２１が、第２給送軸回転駆動部２３によって回転される。
【００４４】
ウェブ接続用の両面テープＴの初期位置が調節された後、第２給送軸２１は、ロック機構によってロックされてその回転が防止される。
【００４５】
第１給送軸１１にセットされた第１の原反１０からのウェブ１０Ｗの給送がさらに進行されることにより、ウェブ１０Ｗの終端部１０Ｅが露出される。そして、ウェブ１０Ｗの終端部１０Ｅがウェブ終端部検出センサ５０の下方領域を通過すると、ウェブ１０Ｗによる光の反射量と、当該ウェブ１０Ｗが巻き付けられている芯による光の反射量と、の違いに基づいて、ロール状の第１の原反１０から給送されるウェブ１０Ｗの終端部１０Ｅが露出されたことが、ウェブ終端部検出センサ５０によって検出され、検出信号が、ウェブ終端部検出センサ５０から制御部７０に送信される。
【００４６】
ウェブ終端部検出センサ５０の検出信号が制御部７０によって受信されると、当該検出信号に基づいて、ウェブ繰出装置１の各部が制御される。
【００４７】
具体的には、ウェブ終端部検出センサ５０の検出信号に基づく制御信号が制御部７０からペースタニップローラ６２に送信されると、当該制御信号に基づいて、ペースタニップローラ６２の第２給送軸２１にセットされた第２の原反２０に向けた移動が開始され、搬送中のウェブ１０Ｗは、第２給送軸２１にセットされた原反２０に向けて幅方向に一斉に押しつけられる（図２参照）。
【００４８】
また、ウェブ終端部検出センサ５０の検出信号に基づく制御信号が制御部７０から第２給送軸２１に送信されると、当該制御信号に基づいて、第２給送軸２１のロック機構によるロック状態が解除され、その回転が初期角加速度αで開始される。
【００４９】
第１給送軸１１にセットされた第１の原反１０からウェブ１０Ｗがさらに給送されて当該ウェブ１０Ｗの終端部１０Ｅが第１の給送軸１１から離れる（第１の原反のウェブ残量がゼロになる）（図３（ｂ）参照）のと同時に、第２給送軸２１にセットされた第２の原反２０上に設けられたウェブ接続用の両面テープＴが、ペースタニップローラ６２による押圧位置に到達する（図４（ｂ）参照）。これにより、当該両面テープＴは、第１の原反１０から給送されるウェブ１０Ｗに付着される。
【００５０】
第２給送軸２１にセットされた第２の原反２０の最外周の速度がウェブの所望の搬送速度に一致されるまでの間は、ウェブ１０Ｗの搬送経路上に設けられたダンシングローラ（不図示）が、両者の速度差を吸収する。
【００５１】
ウェブ接続がなされた後は、第２給送軸２１にセットされた第２の原反２０からウェブが給送されていく。そして、ペースタニップローラ移動機構６５により、ペースタニップローラ６２が、元の位置に復帰される。
【００５２】
その後、ターレット機構によって、第１給送軸１１の位置と第２給送軸２１の位置とが相互に交替される。具体的には、回動モータ４３の駆動により、第１給送軸支持アーム１２と、第２給送軸支持アーム２２と、第１サポートロール支持アーム４４と、第２サポートロール支持アーム４６とが、一体として回動され、第１給送軸１１の位置と第２給送軸２１の位置とが相互に交替される。
【００５３】
本実施の形態によれば、第１の原反１０から給送されるウェブ１０Ｗの終端部１０Ｅが露出されてからウェブの接続動作が開始されるため、第１の原反１０から給送されるウェブ１０Ｗの無駄が極めて少ない。したがって、第１の原反１０から給送されるウェブ１０Ｗの不要部分を切断する従来の切断機構を設ける必要が無い。
【００５４】
また、ウェブ終端部検出センサ５０により第１給送軸１１にセットされた第１の原反１０から給送されるウェブ１０Ｗの終端部１０Ｅが露出されたことが検出される時、第２給送軸２１の回転が開始されるようになっている。この場合、第２の原反２０の回転は、第１の原反１０から給送されるウェブ１０Ｗの終端部１０Ｅが露出されたことが検出されてから開始される。このため、ウェブの接続が確実になされるように、第１の原反１０から給送されるウェブ１０Ｗが第２の原反２０の外周面上に設けられたウェブ接続用の接着材（両面テープＴ）に付着されるタイミング（第２給送軸２１により第２の原反２０が回転されることによりウェブ接続用の接着材（両面テープＴ）がその初期位置から移動してペースタニップローラ６２による押圧位置に到達するタイミング）と、第１の原反１０のウェブ残量がゼロになるタイミングと、を所望に制御することが容易である。
【００５５】
また、第１給送軸１１と第２給送軸２１とは、同一の構成を有していて、ターレット機構を介して相互に交換可能となっている。この場合、複数の原反から給送されるウェブの接続を繰り返し行うことが、容易である。
【００５６】
また、ウェブ終端部検出センサ５０は、光学センサである。したがって、ウェブによる光の反射量と、当該ウェブが巻き付けられている芯による光の反射量と、の違いを利用することにより、ロール状の原反から給送されるウェブの終端部が露出されたことを検出することが、容易である。
【００５７】
さらに、ウェブ接続用の接着材（両面テープＴ）が第１の原反１０から給送されるウェブ１０Ｗに付着されるタイミングと、当該第１の原反１０から給送されるウェブ１０Ｗの終端部１０Ｅが第１の給送軸１１から離れるタイミングと、が同時となるように、第２の原反２０がセットされた第２給送軸２１の初期回転位相Ｒが調節される。したがって、第１の原反１０から給送されるウェブ１０Ｗの無駄を最小限にすることができる。
【符号の説明】
【００５８】
１  ウェブ繰出装置
１０  第１の原反
１０Ｗ  第１の原反から給送されるウェブ
１０Ｅ  第１の原反から給送されるウェブの終端部
１１  第１給送軸
１３  第１給送軸回転駆動部
２０  第２の原反
２１  第２給送軸
２３  第２給送軸回転駆動部
４１  回動シャフト
４２  支柱
４３  回動モータ
４４  第１サポートロール支持アーム
４５  第１サポートロール
４６  第２サポートロール支持アーム
４７  第２サポートロール
５０  ウェブ終端部検出センサ
６２  ペースタニップローラ
６３  ペースタ本体部
６５  ペースタニップローラ移動機構
７０  制御部
８０  ニップローラ
８１  ニップローラ回転駆動部
【図１】
2014189395.tif 000003
【図２】
2014189395.tif 000004
【図４】
2014189395.tif 000005
【図３】
2014189395.tif 000006